(57)【要約】【課題】ホッパの底部に設けた孔に回転軸に取り付けた放出用のディスクを有する硬貨処理機は、ホッパ内に大量の貯留硬貨があると、放出動作に伴って貯留硬貨群が膠着状態となってブリッジを形成していまい、硬貨が流動しないという問題がある。【解決手段】ホッパの底部に設けた孔に回転軸に取り付けた放出用のディスクを有する硬貨処理機において、平面形状を長方形とし、その底部を椀状に湾曲させ、その中程に設けた孔に回転軸に取り付けたディスクを設け、該ディスクによる硬貨の放出方向に向けてディスクの回転方向に向かって傾斜するように底部の周端から前記孔に向けてリブを形成し、さらに前記孔をはさんでその反対側にも同様に周端から孔に向けてリブを形成したホッパとしたことを特徴とする。【選択図】        図１
2005258962.tif 000002
【特許請求の範囲】
【請求項１】
ホッパの底部に設けた孔に回転軸に取り付けた放出用のディスクを有する硬貨処理機において、
平面形状を長方形とし、その底部を椀状に湾曲させ、その中程に設けた孔に回転軸に取り付けたディスクを設け、該ディスクによる硬貨の放出方向に向けてディスクの回転方向に向かって傾斜するように底部の周端から前記孔に向けてリブを形成しホッパとしたことを特徴とする硬貨処理機。
【請求項２】
請求項１において、前記ディスクによる硬貨の放出方向に向けてディスクの回転方向に向かって傾斜するように底部の周端から前記孔に向けてリブを形成すると共に前記孔をはさんでその反対側にも同様に周端から孔に向けてリブを形成したホッパとしたことを特徴とする硬貨処理機。
【請求項３】
ホッパの底部に設けた孔に回転軸に取り付けた放出用のディスクを有する硬貨処理機において、
ホッパの側壁にディスクの半分程度の面積を覆うひさしを取り付けたことを特徴とする硬貨処理機。
【請求項４】
請求項３において、前記ひさしは、内側に向けて下向きに傾斜していることを特徴とする硬貨処理機。
【請求項５】
請求項1〜３もしくは請求項４において、前記回転軸に攪拌棒を設けたことを特徴とする硬貨処理機。
【発明の詳細な説明】
【技術分野】
【０００１】
本発明は、自動清算機や券売機等の自動販売機に用いられ、金種毎に硬貨をためておき、必要に応じて硬貨を１枚ずつ繰出すことができる硬貨処理機に関する。
【背景技術】
【０００２】
従来の硬貨処理装置は、図６、図７に示す如く、漏斗状のホッパ１１と、そのホッパ１１の底部に位置し、回転軸に取り付けられた放出用のディスク１２、回転軸に取り付けられた攪拌棒１３、ディスク１２の下方に配置した上記回転軸を有するモータ１４を有しており、このモータ１４の駆動によりディスク１２が回転すると、ディスク１２に形成されている孔に硬貨が入り、繰出されていく。また、ホッパ１１内の硬貨は、重力に従い下方に微少移動して収納される（例えば、特許文献１参照。）。
【特許文献１】特開平８−７１４２号公報
【発明の開示】
【発明が解決しようとする課題】
【０００３】
しかしながら、上述した従来の技術においては、ホッパに通常は多量の硬貨が貯蓄されていて、個々の硬貨は重力により下方に向かおうとしている。ホッパの形状は漏斗状で下方に向かうほど断面積が小さくなっているので、各硬貨の下方への微少移動に伴って硬貨同士が密集してホッパの周部から一種のアーチを形成して一定形状を保った膠着状態で下方に落下しなくなるいわゆる「ブリッジ」を形成してしまい、上方の硬貨を支えて下部が空洞となって硬貨放出機能が阻害される。
【０００４】
そこで、このブリッジ形成を防止するために、攪拌棒が備えられており、放出動作に伴って貯留されている硬貨群をこの攪拌棒で掻き回すようにしている。
しかし、この攪拌棒によるブリッジ発生の抑制効果は、通常の大きさのホッパでは硬貨の貯留が５００枚程度までしか有効ではないという問題がある。
本発明は、上記の問題点を解決するためになされたもので、大量の貯留硬貨が投入されてもブリッジを発生させることなく順次に硬貨が放出されるホッパを有する硬貨処理機を提供することを目的とする。
【課題を解決するための手段】
【０００５】
そこで本発明は、ホッパの底部に設けた孔に回転軸に取り付けた放出用のディスクを有する硬貨処理機において、平面形状を長方形とし、その底部を椀状に湾曲させ、その中程に設けた孔に回転軸に取り付けたディスクを設け、該ディスクによる硬貨の放出方向に向けてディスクの回転方向に向かって傾斜するように底部の周端から前記孔に向けてリブを形成しホッパとしたことを特徴とする。
【０００６】
さらに、前記ディスクによる硬貨の放出方向に向けてディスクの回転方向に向かって傾斜するように底部の周端から前記孔に向けてリブを形成すると共に前記孔をはさんでその反対側にも同様に周端から孔に向けてリブを形成したホッパとしたことを特徴とする。
さらに、ホッパの側壁にディスクの半分程度の面積を覆うひさしを取り付けたことを特徴とする。また、このひさしが内側に向かって下方向に傾斜していることを特徴とする。
【０００７】
さらに、前記回転軸に攪拌棒を設けたことを特徴とする。
【発明の効果】
【０００８】
これにより、本発明は、ホッパ内に貯留硬貨が大量に投入されても、放出に際して膠着状態となるブリッジを形成することなく順次に硬貨が移動して放出が可能となるという効果が得られる。
【発明を実施するための最良の形態】
【０００９】
以下に、図面を参照して本発明の実施例を説明する。
【実施例１】
【００１０】
図１は本発明の第１実施例を示すホッパの斜視図、図２は平面図である。
図において、１はホッパである。その平面形状は横長の長方形であり、その長手方向に底部２は椀状に湾曲し、その長手方向の側壁３および短手方向の側壁４は底部２の湾曲端から起立して両側壁３、４の上端が同一の高さとなっている。
前記底部２の中程に孔５があり、その孔５の径に見合った径の放出用のディスク６が下部に設けたモータ７の回転軸に取り付けられて配置される。
【００１１】
さらに、前記モータ７の回転軸には攪拌棒８が取り付けてあり、前記ディスク６と一体となって回転する。なお、この攪拌棒は、まっすぐ立てて取り付けても翼、基部で角度を付けて傾けさせて取り付けてもよい。さらには、この攪拌棒がない構造であってもよい。
このようにした底部２の放出用のディスク６による硬貨の放出方向Ａに向けてディスク６の回転方向Ｂに向かって傾斜するように底部２の周端から前記回転軸方向にリブ９が直線状に形成してあり、孔５をはさんでその反対側にも同様に回転軸方向にリブ９が形成しておくとよい。つまり、本実施例においては、ディスク６の回転方向がＢのとき、硬貨の放出方向Ａを右側とし、リブ９は右上から左下へと形成されており、角と回転軸を結ぶ線上に形成してある。しかし必ずしも、このように角と回転軸を結ぶ線上でなくてもよく、その設置角度は底部２の状態に応じて適宜に定められるもので、要するに周端から孔５に向けて所望の角度で形成してあればよい。
【００１２】
このリブ９は、本実施例では図５に示す如く、１５ｍｍ程度の高さを有する山形状体であり、孔５を除いた全長にわたって底部２の湾曲の形状に沿って全長が同一の高さで形成してある。なお、このリブ９の断面形状は山形状体に限るものではなく、板状体、かまぼこ状体等どのような形状でもよい。
以上の構成によるホッパ中の硬貨の放出動作を以下に説明する。
【００１３】
ディスク６の回転方向Ｂで硬貨を繰出すとき、ホッパ１内に貯留されている大量の硬貨の下側の硬貨が徐々に減っていく。このとき、上側の硬貨は均一に下方に移動されずにリブ９によって堰き止められる部分Ｄができる。この部分Ｄは、リブ９を挟んで硬貨の放出側の反対側となる。
このようにホッパ１内の貯留硬貨の一部が堰き止められることにより、ホッパ１内の貯留硬貨の下方への移動がホッパ１内で均一とはならず、まず、一部分が下方へ移動してゆき、その後、その周りの硬貨が下方へと移動してゆくことになりホッパ１内の貯留硬貨が順次繰出されることになる。
【００１４】
なお、放出に際して、攪拌棒８はモータ７の回転によるディスク６の回転に伴って回転することは従来と同様である。
このように、底部２の放出用のディスク６による硬貨の放出方向に向けてディスク６の回転方向に向かって傾斜するように底部２の周端から回転軸方向にリブ９を直線状に形成し、さらに孔５をはさんでその反対側にも同様に回転軸方向にリブ９を形成したことにより、ホッパ１内の貯留貨幣の下方移動に順番ができて移動することになり、貨幣が膠着状態となるブリッジの発生を防ぐことができる。
【実施例２】
【００１５】
図３は本発明の第２実施例を示すホッパの斜視図、図４は平面図、図５は断面図である。
図において、１はホッパである。その平面形状は横長の長方形であり、その長手方向に底部２は椀状に湾曲し、その長手方向の側壁３および短手方向の側壁４は底部２の湾曲端から起立して両側壁３、４の上端が同一の高さとなっている。
【００１６】
前記底部２の中程に孔５があり、その孔５の径に見合った径の放出用のディスク６が下部に設けたモータ７の回転軸に取り付けられて配置される。
さらに、前記モータ７の回転軸には攪拌棒８が取り付けてあり、前記ディスク６と一体となって回転する。なお、この攪拌棒は取り付けない構造であってもよい。
このようにした底部２の放出用のディスク６による硬貨の放出方向Ａに向けてディスク６の回転方向Ｂに向かって傾斜するように底部２の周端から前記回転軸方向にリブ９が直線状に形成してあり、孔５をはさんでその反対側にも同様に回転軸方向にリブ９が形成してある。つまり、本実施例においては、ディスク６の回転方向がＢのとき、硬貨の放出方向Ａを右側とし、リブ９は右上から左下へと形成されており、角と回転軸を結ぶ線上に形成してある。しかし必ずしも、このように角と回転軸を結ぶ線上でなくてもよく、その設置角度は底部２の状態に応じて適宜に定められるもので、要するに周端から孔５に向けて所望の角度で形成してあればよい。
【００１７】
これらの構成は上記第１実施例の構成と同様である。
さらに、本実施例は、長手方向の側壁３の孔５に該当する個所に、孔５に向けて下方に傾斜するようにひさし１０を取り付けてある。
このひさし１０は、その幅はディスク６の幅とほぼ同等であり、短手方向の長さはホッパ１の短手長さの中心付近、つまり、この実施例ではディスク６の中心付近までとなる。
【００１８】
さらに、その取り付け角度は本実施例では４５度程度で、取り付け高さは、ひさし１０の先端のラインがホッパ１の底部２周囲より上の側壁となる位置であって攪拌棒８に当接しない高さである。
なお、その設置個所は、長手方向の側壁３のどちら側の側壁に設置してもよい。
このような構成によると、ホッパ１内の硬貨は、ひさし１０がないエリアの硬貨がまず流れ、その後、ひさし１０の上にある硬貨が流れる。このとき、ひさし１０がないエリアの硬貨が流れるとそれに伴ってひさし１０の下の硬貨も続いて流れ、それによってひさし１０の下とディスク６の上には空間ができ、ホッパ１内の硬貨は徐々にその空間に流れ込んでゆく。この作用を繰り返して硬貨は順次放出される。
【００１９】
以上の放出動作の間、攪拌棒８はディスク６の回転に伴って回転することは上記と同様である。
このようにディスク６の上方にひさし１０を設けたことにより、上記の如く、硬貨の流れにしたがってホッパ１内のひさし１０の下に空間ができることになり、貯留硬貨同士が一方向へ流れようとするときの力の釣り合いがなくなり、貯留硬貨の流れる順番が生じて移動することになり膠着するブリッジの発生を防ぐことになる。
【００２０】
また、ディスク６のほぼ半分の範囲をひさし１０で覆うことにより、ホッパ１内の貯留硬貨の重量がディスク６にかかるのが減り、ディスク６を回転させるモータ７の負荷が軽減され、モータの回転が安定するために硬貨の繰出しが安定することになる。
また、上記の説明は、底部にリブを取り付けた構造で説明をしたが、リブがない底部の形状においてもひさしによる効果は得られる。
【００２１】
さらに、上記で説明した硬貨ばかりでなく、遊技場のメダル類の放出機等にも用いることができ、同様にメダル、ボタン、電池等の処理機にも用いることができる。
【図面の簡単な説明】
【００２２】
【図１】第１実施例を示すホッパの斜視図
【図２】第１実施例を示すホッパの平面図
【図３】第２実施例を示すホッパの斜視図
【図４】第２実施例を示すホッパの平面図
【図５】第２実施例を示すホッパの断面図
【図６】従来例の断面図
【図７】従来例の一部平面図
【符号の説明】
【００２３】
１  ホッパ
２  底部
３  長手方向の側壁
４  短手方向の側壁
５  孔
６  ディスク
７  モータ
８  攪拌棒
９  リブ
１０  ひさし
【図１】
2005258962.tif 000003
【図２】
2005258962.tif 000004
【図３】
2005258962.tif 000005
【図４】
2005258962.tif 000006
【図５】
2005258962.tif 000007
【図６】
2005258962.tif 000008
【図７】
2005258962.tif 000009